【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
上位装置に接続可能なもので、記録紙を搬送路に沿って搬送し、キャリッジに搭載した印刷ヘッドを移動しながら印刷するプリンタにおける印刷制御方法であって、
前記上位装置から紙幅情報を受信した場合には、前記記録紙が前記搬送路の紙幅方向の中央を基準とする位置にあるものと判定し、
前記上位装置から前記紙幅情報を受信しない場合には、前記記録紙が前記搬送路の紙幅方向の一方の端を基準とする位置にあるものと判定することを含むことを特徴とするプリンタにおける印刷制御方法。
【請求項２】
請求項１に記載のプリンタにおける印刷制御方法であって、
前記紙幅情報を受信した場合には、前記中央を基準とする中央基準位置に基づき、前記印刷ヘッドにより印刷を行うように印刷基準位置を決定し、
前記紙幅情報を受信しない場合には、前記端を基準とする端基準位置に基づき、前記印刷ヘッドにより印刷を行うように前記印刷基準位置を決定することを含むことを特徴とするプリンタにおける印刷制御方法。
【請求項３】
請求項２に記載のプリンタにおける印刷制御方法であって、
前記印刷基準位置は、前記印刷ヘッドによる印刷開始位置であることを特徴とするプリンタにおける印刷制御方法。
【請求項４】
請求項３に記載のプリンタにおける印刷制御方法であって、
前記搬送路に装着可能な記録紙の最大紙幅を記憶部に記憶しておき、
前記紙幅情報を受信せずに印刷を実行する場合には、
前記記録紙に記憶した前記最大紙幅を印刷対象の記録紙の紙幅とすると共に、
当該記録紙の一方の側に設ける余白寸法をＬｍとしたときに、前記搬送路の一方の端から前記印刷開始位置までの距離ＬをＬ＝Ｌｍとし、
前記紙幅情報を受信してから印刷を実行する場合には、
前記搬送路の幅をＬａ、印刷対象の記録紙の紙幅をＬｂとしたときに、前記搬送路の一方の端から前記印刷開始位置までの距離Ｌを、Ｌ＝１／２Ｌａ−１／２Ｌｂ＋Ｌｍとすることを特徴とするプリンタにおける印刷制御方法。
【請求項５】
請求項２に記載のプリンタにおける印刷制御方法であって、
前記プリンタは前記キャリッジに搭載した紙検出器を備え、
前記上位装置から前記紙幅情報を受信した後、前記キャリッジを移動して前記紙検出器により前記搬送路上の記録紙の位置を検出し、前記紙幅情報に基づき判定した記録紙の位置と比較し、前記検出された記録紙の位置と一致しない場合には、所定のエラー状態に移行するか、又は、前記印刷ヘッドによる印刷を、前記検出された記録紙の位置の範囲内に対してのみ行うことを特徴とするプリンタにおける印刷制御方法。
【請求項６】
制御部を備え、
前記制御部が請求項１ないし６に記載の印刷制御方法を実行することにより、前記記録紙の基準位置を決定することを特徴とするプリンタ。
【請求項７】
請求項６に記載のプリンタであって、
前記記録紙はロール紙であることを特徴とするプリンタ。
【手続補正２】
【補正対象書類名】明細書
【補正対象項目名】００１１
【補正方法】変更
【補正の内容】
【００１１】
本発明は、上位装置に接続可能なもので、記録紙を搬送路に沿って搬送し、キャリッジに搭載した印刷ヘッドを移動しながら印刷するプリンタにおける印刷制御方法であって、
前記上位装置から紙幅情報を受信した場合には、前記記録紙が前記搬送路の紙幅方向の中央を基準とする位置にあるものと判定し、
前記上位装置から前記紙幅情報を受信しない場合には、前記記録紙が前記搬送路の紙幅方向の一方の端を基準とする位置にあるものと判定することを含むことを特徴とする。
本発明は上述において、前記紙幅情報を受信した場合には、前記中央を基準とする中央基準位置に基づき、前記印刷ヘッドにより印刷を行うように印刷基準位置を決定し、
前記紙幅情報を受信しない場合には、前記端を基準とする端基準位置に基づき、前記印刷ヘッドにより印刷を行うように前記印刷基準位置を決定することを含むことを特徴とする。
上記課題を解決するために、本発明のプリンタの制御方法は、
記録紙装填部から送り出した記録紙を、印刷ヘッドによる印刷位置を経由する搬送路に沿って搬送するプリンタにおける印刷制御方法であって、
記録紙の紙幅情報を受信せずに印刷ジョブを実行する場合には、予め記憶している紙幅を印刷対象の記録紙の紙幅とし、
記録紙の紙幅情報を受信してから印刷ジョブを実行する場合には、受信した紙幅情報を印刷対象の記録紙の紙幅とし、
前記印刷対象の記録紙が前記搬送路上に中央基準で配置されているとして、当該印刷ジョブを実行するための前記印刷ヘッドの紙幅方向の印刷基準位置を決定することを特徴としている。
【手続補正３】
【補正対象書類名】明細書
【補正対象項目名】００１６
【補正方法】変更
【補正の内容】
【００１６】
本発明は上述において、前記搬送路に装着可能な記録紙の最大紙幅を記憶部に記憶しておき、
前記紙幅情報を受信せずに印刷を実行する場合には、
前記記録紙に記憶した前記最大紙幅を印刷対象の記録紙の紙幅とすると共に、
当該記録紙の一方の側に設ける余白寸法をＬｍとしたときに、前記搬送路の一方の端から前記印刷開始位置までの距離ＬをＬ＝Ｌｍとし、
前記紙幅情報を受信してから印刷を実行する場合には、
前記搬送路の幅をＬａ、印刷対象の記録紙の紙幅をＬｂとしたときに、前記搬送路の一方の端から前記印刷開始位置までの距離Ｌを、Ｌ＝１／２Ｌａ−１／２Ｌｂ＋Ｌｍとすることを特徴とする。
本発明において、前記搬送路上にセットされる最大紙幅を記憶しておき、印刷対象の記録紙の紙幅情報を受信せずに印刷ジョブを実行する場合には、前記最大紙幅を印刷対象の記録紙の紙幅とすると共に、当該記録紙の左側の余白寸法をＬｍとしたときに、前記搬送路の左端から前記印刷開始位置までの距離ＬをＬ＝Ｌｍとし、印刷対象の記録紙の紙幅情報を受信してから印刷ジョブを実行する場合には、前記搬送路の幅をＬａ、印刷対象の記録紙の紙幅をＬｂ、当該記録紙の左側の余白寸法をＬｍとしたときに、前記搬送路の左端から前記印刷開始位置までの距離Ｌを、Ｌ＝１／２Ｌａ−１／２Ｌｂ＋Ｌｍとするように、印刷開始位置を決定するとよい。
【手続補正４】
【補正対象書類名】明細書
【補正対象項目名】００１８
【補正方法】変更
【補正の内容】
【００１８】
本発明は上述において、前記プリンタは前記キャリッジに搭載した紙検出器を備え、
前記上位装置から前記紙幅情報を受信した後、前記キャリッジを移動して前記紙検出器により前記搬送路上の記録紙の位置を検出し、前記紙幅情報に基づき判定した記録紙の位置と比較し、前記検出された記録紙の位置と一致しない場合には、所定のエラー状態に移行するか、又は、前記印刷ヘッドによる印刷を、前記検出された記録紙の位置の範囲内に対してのみ行うことを特徴とする。
また、本発明において、前記搬送路上の記録紙の紙幅を検出し、当該検出された紙幅が、印刷対象の記録紙の紙幅と一致しない場合には、所定のエラー状態に移行するか、又は、前記印刷ヘッドによる印刷を、前記検出された紙幅の範囲内に対してのみ行うとよい。このように、印刷対象の紙幅と、センサによって検出された搬送路上にある記録紙の紙幅が一致していない場合にはそのことを検出して、エラー状態への移行や印刷範囲の調整を行うことにより、記録紙からはみ出した位置にインクが吐出されてプラテンが汚れてしまうなどの不具合を防止できる。
【手続補正５】
【補正対象書類名】明細書
【補正対象項目名】００１９
【補正方法】変更
【補正の内容】
【００１９】
本発明のプリンタは、制御部を備え、
上述の印刷制御方法を実行することにより、前記記録紙の基準位置を決定することを特徴とする。
また、前記記録紙はロール紙であることを特徴とする。
ここで、前記記録紙はロール紙であり、前記記録紙装填部はロール紙装填部である。記録紙装着部にロール紙を中央基準で装着すれば、ロール紙の装着性や記録紙を繰り出すときの動作安定性が向上する。